(57)【要約】【課題】ベイトリールをリールシートと共に容易且つ安定的に把持することができるグリップの提供。【解決手段】このグリップ１０は、釣竿に装着されるコア部材１６と、グリップ本体１７と、固定ナット１８とを備える。グリップ本体１７は、コア部材１６に嵌め合わされる。グリップ本体１７は筒状を呈し、主環部２７及び膨出部２８を有する。膨出部２８は、主環部２７に連続して径方向外方に膨らんでいる。この膨出部２８は、釣人がベイトリール及び釣竿を把持した際に釣人の手の小指球に安定的に当接する。コア部材１６にスプライン２３が形成され、上記主環部２７に突条３５が設けられている。この突条３５が上記スプライン２３と嵌合し、グリップ本体１７が確実にコア部材１６と嵌合する。【選択図】図２
2014117209.tif 000002
【特許請求の範囲】
【請求項１】
ベイトリールが装着される釣竿に取り付けられ、当該釣竿の長手方向を軸方向とする筒状に形成された釣竿用グリップであって、
第１の外径を有する主環部及び当該主環部に連続し且つ径方向に膨出した第２の外径を有する膨出部を備え、
上記第２の外径は、釣人が上記釣竿に装着されたベイトリールを把持した状態で当該釣人の手の小指球に上記膨出部の外縁が当接するように設定されている釣竿用グリップ。
【請求項２】
上記軸方向を中心とする回転を規制する回転規制機構をさらに備えている請求項１に記載の釣竿用グリップ。
【請求項３】
上記回転規制機構は、
上記主環部と、当該主環部の中心に嵌め合わされ且つ上記釣竿を構成するブランクが挿通されるパイプ状に形成されたコア部材とを有し、
当該コア部材の外周面に設けられた係合部及び上記主環部に設けられた被係合部とが係合している請求項２に記載の釣竿用グリップ。
【請求項４】
上記係合部はスプラインからなり、上記被係合部は上記スプラインと嵌合する突条からなる請求項３に記載の釣竿用グリップ。
【請求項５】
上記コア部材は、上記主環部と嵌合した状態で当該主環部から軸方向に沿って突出する突出部を備えており、当該突出部に位置決め用ナットが螺合されている請求項３又は４に記載の釣竿用グリップ。
【発明の詳細な説明】
【技術分野】
【０００１】
この発明は、釣人が釣竿を把持する際に握るグリップの構造に関するものである。
【背景技術】
【０００２】
釣りのターゲットに応じて種々の釣竿が従来から提供されている。一般に、釣竿は釣人によって把持されるものであるから、釣竿の所要部位にグリップが設けられている。当然に、ターゲットとなる魚が大型になるほどグリップの重要性は増す。そのため、従来のグリップは、種々の改良が加えられている（たとえば、特許文献１〜特許文献３参照）。
【先行技術文献】
【特許文献】
【０００３】
【特許文献１】特開２０１２−２３５７０８号公報
【特許文献２】特開２０１２−２１７３８０号公報
【特許文献３】特開２０１０−２７３６２０号公報
【発明の概要】
【発明が解決しようとする課題】
【０００４】
釣りのジャンルに「ジギング」と称されるものがある。ジギングでは、比較的重量が大きい金属製の疑似餌（一般に「ジグ」と称される）が海面から海底まで落下され、ジグの着底と同時にラインが巻き上げられることによりジグが水面に向けて引き上げられる。このとき、釣人はリールを操作してラインを巻き取ることによってジグをリトリーブする。ラインの巻き取り方、すなわちリールの操作の仕方によってジグはさまざまなアクションを起こす。釣人は、釣場の状況に応じてジグのアクションをコントロールし、ターゲットのバイトを誘う。
【０００５】
ところで、ジギングに際し両軸受け型リール（いわゆるベイトリール）が採用される場合、リールは釣人側から見て釣竿の上側に配置される。すなわち、実釣において重量の大きいリールが釣竿の上側に配置されることにより、釣人にとってタックルの操作が不安定となる。そのため、釣人は、釣竿を構成するブランクの後端部を脇に挟み、且つリールをリールシートと共に把持する必要があるが、このようにリールとリールシートとを同時に把持する動作は、釣人にとって負担が大きい。
【０００６】
本発明はかかる背景のもとになされたものであって、その目的は、ベイトリールをリールシートと共に容易且つ安定的に把持するための釣竿用グリップを提供することである。
【課題を解決するための手段】
【０００７】
(1) 本発明に係る釣竿用グリップは、ベイトリールが装着される釣竿に取り付けられ、当該釣竿の長手方向を軸方向とする筒状に形成されている。この釣竿用グリップは、第１の外径を有する円筒状の主環部及び当該主環部に連続し且つ径方向に膨出した第２の外径を有する膨出部を備える。上記第２の外径は、釣人が上記釣竿に装着されたベイトリールを把持した状態で当該釣人の手の小指球に上記膨出部の外縁が当接するように設定されている。
【０００８】
この釣竿用グリップは、筒状に形成されているから、釣竿を構成するブランクが主環部に嵌め合わされることによって、あるいは当該ブランクに設けられたリールシートが主環部に嵌め合わされることによって、簡単に当該釣竿に取り付けられる。この釣竿用グリップは、円筒状の主環部の外側に膨出部を備えるから、釣竿にベイトリールが装着された状態で釣人がベイトリールを指で掴めば、当該膨出部が釣人の手、特に小指球に当接する。これにより、釣人は、ベイトリールとグリップとを自然に把持し、安定して保持することができる。換言すれば、仮に上記膨出部が無ければ、釣人がベイトリールを掴んだ状態で、当該釣人の手のひらとグリップとの間に隙間が形成され、その結果、釣人は手首を異方向に折り曲げてベイトリール及びグリップを不自然に把持しなければならないが、この発明ではそのような不都合が解消される。
【０００９】
上記膨出部は、当該膨出部の外縁と上記釣竿に装着されたベイトリールの外縁を含み上記軸方向に沿う仮想平面との距離の絶対値が５ｍｍ以下となるように成形されているのが好ましい。これにより、釣人がベイトリール及びグリップを最も自然に且つ安定して保持することができる。
【００１０】
(2) 上記軸方向を中心とする回転を規制する回転規制機構をさらに備えていてもよい。
【００１１】
これにより、実釣において釣竿用グリップが回転することが防止される。
【００１２】
(3) 上記回転規制機構は、上記主環部と、当該主環部の中心に嵌め合わされ且つ上記釣竿を構成するブランクが挿通されるパイプ状に形成されたコア部材とを有して構成され得る。そして、当該コア部材の外周面に設けられた係合部及び上記主環部に設けられた被係合部とが係合する。
【００１３】
この構成では、上記回転規制機構の構造が簡単である。
【００１４】
(4) 上記係合部はスプラインからなり、上記被係合部は上記スプラインと嵌合する突条からなるのが好ましい。
【００１５】
この構成では、釣竿用グリップの確実な回転規制が実現される。
【００１６】
(5) 上記コア部材は、上記主環部と嵌合した状態で当該主環部から軸方向に沿って突出する突出部を備えており、当該突出部に位置決め用ナットが螺合されているのが好ましい。
【００１７】
この構成では、実釣において釣竿用グリップが軸方向にずれてしまうことが防止される。
【発明の効果】
【００１８】
この発明によれば、釣人は、ベイトリールとグリップとを自然に把持し、安定して保持することが可能であるから、ジギングの実釣においてリトリーブやターゲットとのファイトが快適になる。
【図面の簡単な説明】
【００１９】
【図１】図１は、本発明の一実施形態に係る釣竿用グリップが採用された釣竿の斜視図である。
【図２】図２は、本発明の一実施形態に係る釣竿用グリップの分解斜視図である。
【図３】図３は、本発明の一実施形態に係る釣竿用グリップの正面図である。
【図４】図４は、本発明の一実施形態に係る釣竿用グリップの側面図である。
【発明を実施するための形態】
【００２０】
以下、本発明の好ましい実施形態が、適宜図面が参照されながら説明される。
【００２１】
図１は、本発明の一実施形態に係る釣竿用グリップ１０（以下、単に「グリップ１０」と称される。）が採用された釣竿１１の使用状態における斜視図である。
【００２２】
本実施形態では、釣竿１１は、ジギング用として構成されている。釣竿１１は、釣竿本体１２と、これに装着されたリールシート１３とを備えており、このリールシート１３にベイトリール１４が取り付けられている。本実施形態では、グリップ１０はリールシート１３の後端部（釣竿１１の竿尻側）に配置されている。
【００２３】
実釣では、釣人は、同図が示すように左手でリールシート１３及びベイトリール１４を把持する。本実施形態に係るグリップ１０の特徴とするところは、グリップ１０の外形形状であり、同図が示すように釣人がリールシート１３及びベイトリール１４を握った状態で、グリップ１０が釣人の手のひら、特に小指球部分１５に当接するようになっている点である。これにより、釣人は、リールシート１３及びベイトリール１４を安定して把持することができ、快適なロッド操作が可能になる。
【００２４】
釣竿本体１２は、本実施形態では１本のブランクから構成されている。このブランクは、既知の要領で構成される。たとえば、カーボン繊維強化樹脂からなるシート（いわゆるプリプレグ）が所定形状に裁断され、これがマンドレルの周囲に巻回される。これが所定温度にて加熱処理され、マンドレルが引き抜かれることによって、釣竿本体１２を構成するブランクが焼成される。もっとも、複数のブランクから釣竿本体１２が構成されてもよいことは勿論である。なお、釣竿本体１２の後端に竿尻グリップが設けられるとともに、所定位置にラインガイドが設けられる。
【００２５】
リールシート１３は、ベイトリール１４を着脱自在に保持するためのものであって、筒状に形成されている。リールシート１３は一般に樹脂により形成されている。釣竿本体１２はリールシート１３を貫通しており、両者が接着剤等により固着されている。リールシート１３は、既知の構造であって、ベイトリール１４の脚部の一方を収容保持する固定フード及び脚部の他方を収容保持する可動フードを備えている。この可動フードが固定フードに対して接離する。可動フードが固定フード側に移動すると、可動フード及び固定フードによって上記脚部が挟持され、ベイトリール１４がリールシート１３に固定されるようになっている。リールシート１３に関する詳しい説明は省略される。
【００２６】
図２は、グリップ１０の分解斜視図である。同図において左手前側が竿先側であり、右奥側が竿尻側である。また、図３は、グリップ１０の正面図であり、図２におけるIII−矢視図である。さらに、図４は、グリップ１０の側面である。
【００２７】
同図が示すように、グリップ１０は、コア部材１６と、グリップ本体１７と、固定ナット１８（特許請求の範囲に記載された「位置決め用ナット」に相当）とを備えている。なお、コア部材１６は後述する回転規制機構１９を構成し、固定ナット１８はグリップ本体１７のずれを防止する。
【００２８】
コア部材１６は、樹脂又は金属からなり、全体としてパイプ状（本実施形態は円筒状）に形成されている。コア部材１６は、大径部２０と小径部２１（特許請求の範囲に記載された「突出部」に相当）とを有しており、これらは軸方向２２に連続している。大径部２０の軸方向２２の長さは小径部２１の軸方向２２の長さよりも大きく設定されている。後に詳述されるが、大径部２０の軸方向２２の長さは、図４が示すように、グリップ本体１７の軸方向２２の長さに対応されている。
【００２９】
大径部２０の外周面にスプライン２３（特許請求の範囲に記載された「係合部」に相当）が設けられている。本実施形態では２本のスプライン２３が設けられており、図２が示すように大径部２０の径方向に沿って対向配置されている。なお、スプライン２３の数は２本に限定されるものではなく、１本でも良いし、さらに多数でも良い。スプライン２３の形状は特に限定されるものではないが、本実施形態ではいわゆる蟻溝となっている。
【００３０】
小径部２１は、大径部２０の端面から軸方向２２に突出している。小径部２１の外周面に雄ねじ２４が形成されている。この小径部２１に上記固定ナット１８が螺合するようになっている。なお、小径部２１の内径は、上記釣竿本体１２の外径に対応しており、釣竿本体１２は、小径部２１にぴったりと嵌め合わされるようになっている。
【００３１】
固定ナット１８は、樹脂又は金属からなり、円環状に形成されている。固定ナット１８の内周面に雌ねじ２５が形成されている。図４が示すように、この雌ねじ２５が上記小径部２１の雄ねじ２４と螺合することによって、固定ナット１８が上記小径部２１にねじ込まれる。固定ナット１８の外周面にローレット２６が形成されており、上記小径部２１へのねじ込み操作が容易になっている。固定ナット１８の外径は、上記大径部２０の外径よりも大きく設定されている。
【００３２】
グリップ本体１７は、筒状に形成されている。グリップ本体１７は、本実施形態ではアクリロニトリル−ブタジエンゴム（ＮＢＲ）からなる。もっとも、グリップ本体１７を構成する材料は、ＮＢＲに限定されるものではなく、エチレン酢酸ビニル共重合体（ＥＶＡ）のほかコルクが採用され得る。
【００３３】
図３が示すように、グリップ本体１７は、円筒状の主環部２７及びこの主環部２７の径方向外方に形成された膨出部２８を有する。主環部２７と膨出部２８とは一体的に形成されており、両者の境界２９は、同図において二点鎖線で示されている。主環部２７の外径Ｒ１は、本実施形態では３７ｍｍに設定されている。但し、外径Ｒ１は、使用されるベイトリールの外形寸法に対応して適宜設計変更され得る。また、膨出部２８は、主環部２７の外周面に被せられた冠状の部材であり、主環部２７が径方向に膨らんだ状態となっている。この膨出部２８の最大外径Ｒ２は、４０ｍｍに設定されている。つまり、主環部２７に膨出部２８が被せられた状態となっており、これにより、主環部２７は、径方向の一方側に向かって外方に３ｍｍだけ膨らんでいる。但し、この最大外径Ｒ２も使用されるベイトリールの外形寸法に対応して適宜設計変更され得る。本実施形態では、膨出部２８の外周面の曲率半径は周方向に沿って変化しており、頂部３６の曲率半径が最も大きく、肩部３７の曲率半径が最も小さくなるように設定されている。
【００３４】
本実施形態では、グリップ本体１７が主環部２７及び膨出部２８を備えており、両者の境界が上記二点鎖線であることから、前述のように主環部２７が円筒状であるとされている。しかし、上記主環部２７及び膨出部２８は一体的に形成されており、上記二点鎖線は上記主環部２７及び膨出部２８の構造を説明するために両者の境界を便宜的に示したものである。したがって、主環部２７は筒状であれば円筒状である必要はなく、上記二点鎖線も円弧状である必要はない。要するに、上記膨出部２８が設けられることによって、主環部２７が径方向に膨らんだ状態となっていればよい。
【００３５】
図２及び図４が示すように、グリップ本体１７の竿尻側部分は、滑らかな湾曲面３２となっている。具体的には、膨出部２８の後端面３０と外周面３１とが滑らかな湾曲面３２によって連続されている。なお、本実施形態では、グリップ本体１７の竿先側部分３３も面取加工が成されている。
【００３６】
グリップ本体１７の中心（上記主環部２７の中心）に軸方向２２に沿って貫通孔３４が設けられている。この貫通孔３４の内径は、上記コア部材１６の大径部２０の外径に対応している。この貫通孔３４の内壁面に突条３５（特許請求の範囲に記載された「被係合部」に相当）が形成されている。本実施形態では、２本の突条３５が形成されており、両者は径方向に対向配置されている。図３が示すように、この突条３５は台形状に形成されており、上記コア部材１６に設けられたスプライン２３にぴったりと嵌め合わされるようになっている。本実施形態では、２本の突条３５が形成されているが、これは上記スプライン２３の数及び位置に対応されたものである。したがって、スプライン２３の数及び位置に対応して突条３５の数及び位置が決定される。
【００３７】
この釣竿は、次の要領で組み立てられる。
【００３８】
釣竿本体１２（図１参照）がリールシート１３及びコア部材１６に挿通される、前述のように、リールシート１３及びコア部材１６は、釣竿本体１２に接着剤等により固着される。このとき、リールシート１３のシート面は上を向くように配置され、上記スプライン２３は、上下方向に並ぶように（すなわち、一方のスプライン２３がベイトリール１４と対向するように）配置される。このリールシート１３にベイトリール１４が図１が示すように装着される。図２が示すように、グリップ本体１７がコア部材１６に嵌め込まれ、図３の状態となる。このとき、グリップ本体１７に設けられた突条３５が上記スプライン２３と嵌合するが、スプライン２３が蟻溝形状であるから、コア部材１６に対してがたつくことなく確実にグリップ本体１７が位置決めされる。
【００３９】
前述のように、コア部材１６の大径部２０の長さがグリップ本体１７の長さに対応しているから、コア部材１６にグリップ本体１７が嵌め込まれた状態で、図４が示すように、小径部２１がグリップ本体１７から軸方向２２に沿って突出する。上記固定ナット１８が釣竿本体１２に挿通され、上記小径部２１に螺合する。固定ナット１８がねじ込まれると、当該固定ナット１８が上記小径部２１と大径部２０との段部に当接する。前述のように、固定ナット１８の外径がコア部材１６の大径部２０の外径よりも大きいので、固定ナット１８が上記段部に当接することによって、固定ナット１８が位置決めされるとともに、上記大径部２０に嵌め込まれたグリップ本体１７が軸方向２２にずれてしまうことが防止される。
【００４０】
グリップ１０は筒状に形成されているから、釣竿本体１２は、グリップ本体１７（具体的には上記主環部２７）に嵌め合わされることによって簡単に釣竿本体１２に取り付けられる。図１が示すように、釣人が左手で釣竿本体１２及びベイトリール１４を掴む場合、グリップ１０は、膨出部２８が左側（釣人の左手側）に突出するように配置される。釣竿本体１２にベイトリール１４が装着された状態で、釣人は、ベイトリール１４を指で掴む。グリップ本体１７が上記膨出部２８を備えているから、釣人がベイトリール１４を掴むことにより、図１が示すように、上記膨出部２８が釣人の小指球１５に当接する。
【００４１】
本実施形態では、図３が示すように上記膨出部２８は、主環部２７から径方向外方に３ｍｍだけ張り出している。この張出寸法は特に限定されるものではないことは前述のとおりであるが、膨出部２８の頂部３６とベイトリール１４の外縁との距離Ｌが０ｍｍ〜２ｍｍとなるように設定されるのが好ましい。具体的には、この距離Ｌは、上記膨出部２８の頂部３６（すなわち外縁）と、上記ベイトリール１４の外縁を含み且つ上記軸方向２２に沿う仮想平面３８との距離の絶対値である。本実施形態では、仮想平面３８が膨出部２８の頂部３７よりもさらに外側（すなわち径方向外方）に位置するが、仮想平面３８が膨出部２８の頂部３７よりも内側に位置してもよい。
【００４２】
このように、上記膨出部２８が釣人の小指球１５に当接するから、釣人は、ベイトリール１４とグリップ１０とを自然に把持し、安定して保持することができる。換言すれば、仮に上記膨出部２８が無ければ、釣人がベイトリール１４を掴んだ状態で、釣人の手のひらとグリップとの間に隙間が形成されるから、釣人は手首を異方向に折り曲げてベイトリール１４及びグリップを不自然に把持しなければならないが、本実施形態に係る釣竿１１では、上記グリップ１０が設けられているので、そのような不都合が解消される。その結果、釣人は、ベイトリール１４とグリップ１０とを自然に把持し、安定して保持することが可能であるから、ジギングの実釣においてリトリーブやターゲットとのファイトが快適になる。
【００４３】
本実施形態では、図２及び図４が示すように、グリップ本体１７は、湾曲面３２を備えている。この湾曲面３２が形成されているから、釣人がグリップ１０を握った際に、小指球１５が湾曲面３２に沿ってストレス無く当接する。したがって、グリップ１０の握り心地が向上する。また、図２及び図３が示すように、グリップ１０の主環部２７に設けられた突条３５と、コア部材１６に形成されたスプライン２３とが嵌め合わされているから、グリップ１０が軸方向２２を中心として回転することが規制される。つまり、上記主環部及びコア部材１６によって、グリップ１０の回転を規制する回転規制機構１９が構成されている。しかも、上記突条３５及び上記スプライン２３によって回転規制が行われるので、簡単で確実な回転規制が実現する。これにより、快適な実釣が可能になる。
【００４４】
なお、本実施形態では、釣人が左手でベイトリール１４及び釣竿本体１２を把持する場合について記載されているが、右手でベイトリール１４及び釣竿本体１２を把持する釣人も存在する。その場合であっても、グリップ本体１７は、コア部材１６に嵌め込まれているだけであるから、コア部材１６が１８０°だけ反転されるだけで、簡単にグリップ本体１７の向きが変更される。つまり、グリップ本体１７をコア部材１６から引き抜き、１８０°反転させて再びコア部材１６に嵌め込むだけで、上記膨出部２８が図１において右側に突出し、釣人の右手の小指球に当接する。
【００４５】
加えて、本実施形態では、グリップ本体１７とコア部材１６とがスプライン結合されているから、両者の着脱作業は、グリップ本体１７の外形形状にかかわらず簡単である。したがって、膨出部２８（図３参照）の形状が異なる複数のグリップ本体が予め容易されるならば、使用されるベイトリールのサイズに合わせて簡単にグリップ本体１７が他のグリップ本体と交換される。ただし、その場合、たとえば上記竿尻グリップが着脱自在であって、グリップ本体１７の交換時に竿尻グリップも容易に取り外せる構造であるのが好ましい。
【符号の説明】
【００４６】
１０・・・釣竿用グリップ
１１・・・釣竿
１２・・・釣竿本体
１３・・・リールシート
１４・・・ベイトリール
１５・・・小指球
１６・・・コア部材
１７・・・グリップ本体
１８・・・固定ナット
１９・・・回転規制機構
２０・・・大径部
２１・・・小径部
２２・・・軸方向
２３・・・スプライン
２７・・・主環部
２８・・・膨出部
３５・・・突条
３６・・・頂部
３８・・・仮想平面
【図１】
2014117209.tif 000003
【図２】
2014117209.tif 000004
【図３】
2014117209.tif 000005
【図４】
2014117209.tif 000006